(57)【特許請求の範囲】
【請求項１】
無線送受信ユニット（ＷＴＲＵ）における回線交換（ＣＳ）フォールバック（ＣＳＦＢ）の手順をキャンセルするための方法であって、
ＣＳＦＢの手順を開始するための第１のメッセージを送信することと、
前記ＣＳＦＢの手順のキャンセルを求める要求を通知する第２のメッセージをＷＴＲＵから送信することと、
進行中のパケット交換（ＰＳ）セッションが存在すると決定することと、
システム間の変更を実行することなく、現在の無線アクセス技術（ＲＡＴ）上で、前記進行中のＰＳセッションを続行することと
を備えることを特徴とする方法。
【請求項２】
前記第１のメッセージは、拡張サービス要求（ＥＳＲ）メッセージであり、前記第２のメッセージは、変更ＥＳＲメッセージであることを特徴とする請求項１に記載の方法。
【請求項３】
前記変更ＥＳＲメッセージは、非アクセス層（ＮＡＳ）メッセージであることを特徴とする請求項２に記載の方法。
【請求項４】
前記ＣＳＦＢの手順のキャンセルを求める前記要求は、前記第２のメッセージのサービスタイプフィールドにおいて通知されることを特徴とする請求項１に記載の方法。
【請求項５】
前記第２のメッセージは、キャンセルするサービスタイプを指示するサービス撤回識別情報フィールドを含むＮＡＳメッセージであることを特徴とする請求項１に記載の方法。
【請求項６】
前記システム間の変更は、パケット交換（ＰＳ）ハンドオーバ（ＨＯ）を含むことを特徴とする請求項１に記載の方法。
【請求項７】
前記現在のＲＡＴは、ＬＴＥ  ＲＡＴであることを特徴とする請求項１に記載の方法。
【請求項８】
ハンドオーバ（ＨＯ）コマンドを受信することと、
前記ＨＯコマンドを拒否する旨のメッセージを送信することと
をさらに備えることを特徴とする請求項１に記載の方法。
【請求項９】
前記ＨＯコマンドを拒否する旨の前記メッセージは、モビリティ管理エンティティ（ＭＭＥ）に送信されるＮＡＳメッセージであることを特徴とする請求項８に記載の方法。
【請求項１０】
前記ＨＯコマンドを拒否する旨の前記メッセージは、ｅＮＢに送信される無線リソース制御（ＲＲＣ）メッセージであることを特徴とする請求項８に記載の方法。
【請求項１１】
ＣＳＦＢインジケータを含むＨＯメッセージを受信することと、
前記ＣＳＦＢの手順のキャンセルを求める前記要求を通知する前記第２のメッセージを送信したことの知識に基づいて、前記ＨＯメッセージを無視することと
をさらに備えることを特徴とする請求項１に記載の方法。
【請求項１２】
回線交換（ＣＳ）フォールバック（ＣＳＦＢ）の手順を開始するための第１のメッセージを送信し、
前記ＣＳＦＢの手順のキャンセルを求める要求を通知する第２のメッセージを送信するように構成された送信機と、
進行中のパケット交換（ＰＳ）セッションが存在すると決定し、システム間の変更を実行することなく、現在の無線アクセス技術（ＲＡＴ）上で、前記進行中のＰＳセッションを続行するように構成されたプロセッサと
を備えたことを特徴とする無線送受信ユニット（ＷＴＲＵ）。
【請求項１３】
前記送信機は、前記第１のメッセージを、拡張サービス要求（ＥＳＲ）メッセージとして、前記第２のメッセージを、変更ＥＳＲメッセージとして送信するように構成されたことを特徴とする請求項１２に記載のＷＴＲＵ。
【請求項１４】
前記送信機は、前記変更ＥＳＲメッセージを、非アクセス層（ＮＡＳ）メッセージとして送信するように構成されたことを特徴とする請求項１３に記載のＷＴＲＵ。
【請求項１５】
前記送信機は、前記ＣＳＦＢの手順のキャンセルを求める前記要求の通知を、前記第２のメッセージのサービスタイプフィールドにおいて送信するように構成されたことを特徴とする請求項１２に記載のＷＴＲＵ。
【請求項１６】
前記送信機は、前記第２のメッセージを、キャンセルするサービスタイプを指示するサービス撤回識別情報フィールドを含むＮＡＳメッセージとして送信するように構成されたことを特徴とする請求項１２に記載のＷＴＲＵ。
【請求項１７】
ハンドオーバ（ＨＯ）コマンドを受信するように構成された受信機をさらに含み、前記送信機は、前記ＨＯコマンドを拒否する旨のメッセージを送信するようにさらに構成されたことを特徴とする請求項１２に記載のＷＴＲＵ。
【請求項１８】
前記送信機は、前記ＨＯコマンドを拒否する旨の前記メッセージを、ＮＡＳメッセージとしてモビリティ管理エンティティ（ＭＭＥ）に送信するように構成されたことを特徴とする請求項１７に記載のＷＴＲＵ。
【請求項１９】
前記送信機は、前記ＨＯコマンドを拒否する旨の前記メッセージを、無線リソース制御（ＲＲＣ）メッセージとしてｅＮＢに送信するように構成されたことを特徴とする請求項１７に記載のＷＴＲＵ。
【請求項２０】
ＣＳＦＢインジケータを含むＨＯメッセージを受信するように構成された受信機を含み、前記プロセッサは、前記ＣＳＦＢの手順のキャンセルを求める前記要求を通知する前記第２のメッセージを送信したことの知識に基づいて、前記ＨＯメッセージを無視するようにさらに構成されたことを特徴とする請求項１２に記載のＷＴＲＵ。
【発明の詳細な説明】
【技術分野】
【０００１】
本出願は、無線通信に関する。
【０００２】
（関連出願の相互参照）
本出願は、参照により本明細書に組み込まれる、2009年1月6日に出願された米国仮出願第61／142787号に基づく優先権を主張する。
【背景技術】
【０００３】
無線通信における目標は、ＷＴＲＵ（無線送受信ユニット）が、セッションの進行中にサービスを中断させることなく、通信を起こし、または受け取ることができるようにする機構を考え出すことであった。例えば、３ＧＰＰ（Third Generation Partnership Project）のＬＴＥ（Long Term Evolution）のシナリオでは、目標は、ＷＴＲＵが、Ｅ−ＵＴＲＡＮ（Evolved Universal Terrestrial Radio Access Network）のＰＳ（パケット交換）ドメインに接続されている最中に、ＣＳ（回線交換）サービスを起こし（すなわち開始し）、もしくは受け取り（すなわち終了し）、またはその反対を行えるようにする機構を考え出すことであった。ＣＳサービスの例は、少なくとも、ＣＳ音声通話、ＳＭＳ（ショートメッセージサービス）、位置サービス、または補助サービスなどのサービスを含むことができる。
【０００４】
いくつかの無線通信の配備のシナリオでは、いくつかのサービスは、最初に特定のＲＡＴ（無線アクセス技術）によって提供され、その場合、ＷＴＲＵは、開始しているサービスをキャンセルする前に、ターゲットＲＡＴへのハンドオーバを実行することを求められることがある。ハンドオーバの実行は、ソースＲＡＴにおいてサービスの中断を導くことがある。ＧＳＭ（Global System for Mobile communication）、ＵＭＴＳ（Universal Mobile Telecommunications System）、またはＣＤＭＡ（Code Division Multiple Access）などのシステムでは、ユーザは、セッションのセットアップが完了する前に、進行中のＭＯ（mobile originated）セッションの要求をキャンセルすることができる。例えば、ＧＳＭの配備のシナリオでは、ＣＭ（connection management）エンティティが、セッションのキャンセル手順を処理することができる。この例では、開始しているセッションを、セッションのセットアップが完了する前にキャンセルしようとユーザが決定した場合、ＣＭエンティティは、キャンセルのメッセージを送信することができる。しかしながら、開始しているセッションをキャンセルするために、ターゲットＲＡＴへのハンドオーバが実行されうる。
【０００５】
ＬＴＥの例では、ＷＴＲＵは、ＰＳセッションの進行中に、ＣＳＦＢ（ＣＳのフォールバック）の手順を実行して、ＣＳセッションを開始することができる。ＬＴＥを介するＣＳセッションの要求は、強制的にＷＴＲＵにＲＡＴを変更させることがあるので、ＷＴＲＵがＬＴＥセルにキャンプオン（camp on）しているときの、ＣＳセッションの要求のキャンセルは、多くの問題を引き起こしうる。
【０００６】
例えば、進行中のＣＳＦＢの手順をユーザがキャンセルする時間に応じて、シグナリングメッセージは、ＣＳＦＢの実行に備えて、ネットワークエンティティ間ですでに交換されていることもあり、または交換されている最中のこともある。これは、サービス中断、時間遅延、または不必要なリソース損失などの問題を引き起こすことがある。例えば、ソースネットワークノードおよびターゲットネットワークノードは、シグナリングメッセージを交換して、端末のためのリソースを準備することができる。ＷＴＲＵが要求をキャンセルすることを予想せずに、ＭＭＥ（モビリティ管理エンティティ（mobility management entity））は、ＷＴＲＵがハンドオーバするであろうターゲットＲＡＴにユーザのコンテクスト情報を転送することによって、手順を完了するためのアクションを実行し始めることがある。ＷＴＲＵがＬＴＥにおいて進行中のＰＳセッションを有する場合、ＭＭＥは、ＰＳセッションをハンドオフするためのリソースを確保できるように、要求されたコンテクストをターゲットＲＡＴに転送することがある。したがって、セッションのセットアップが完了する前にセッションの要求がキャンセルされた場合のＷＴＲＵの動きに対処する方法および装置を有することが望ましい。
【発明の概要】
【０００７】
ＣＳＦＢ（ＣＳ（回線交換）フォールバック）の手順をキャンセルするための方法および装置が開示される。装置は、ＣＳＦＢの手順を開始するための第１のメッセージを送信することができ、その後、ＣＳＦＢの手順のキャンセルを求める要求を通知する第２のメッセージを送信することができる。装置は、進行中のＰＳ（パケット交換）セッションが存在すると決定した場合、システム間の変更を実行することなく、現在のＲＡＴ（無線アクセス技術）上で、進行中のＰＳセッションを続行することができる。装置は、ＨＯ（ハンドオーバ）コマンドを受信した場合、ＨＯコマンドを拒否する旨のメッセージを送信することができ、またはＨＯコマンドを無視することができる。
【図面の簡単な説明】
【０００８】
より詳細な理解は、添付の図面と併せて、例によって与えられる、以下の説明から得ることができる。
【０００９】
【図１】ＷＴＲＵとＭＭＥとの間の制御プレーンについてのプロトコルスタックの図である。
【図２】ＣＳＦＢの手順をキャンセルする方法の一例のフロー図である。
【図３】変更ＥＳＲを使用して、ＣＳＦＢの手順をキャンセルできる方法の一例の信号フロー図である。
【図４】図３で説明された変更ＥＳＲメッセージの図である。
【図５】ＮＡＳメッセージの図である。
【図６】ＣＳＦＢの手順をキャンセルする代替的方法のフロー図である。
【図７】追加的なハンドオーバを実行することによってＣＳＦＢの手順をキャンセルする方法の一例のフロー図である。
【図８】ＨＯコマンドを無視することによってＣＳＦＢの手順をキャンセルする方法の一例のフロー図である。
【図９】ＬＴＥ無線通信システム／アクセスのネットワークの図である。
【図１０】ＬＴＥ無線通信システムの一例のブロック図である。
【発明を実施するための形態】
【００１０】
これ以降で言及される場合、「ＷＴＲＵ（無線送受信ユニット）」という用語は、限定することなく、ＵＥ（ユーザ機器）、移動局、固定もしくは移動加入者ユニット、ページャ、セルラ電話、ＰＤＡ（携帯情報端末）、コンピュータ、または無線環境で動作可能な他の任意の種類の装置を含む。これ以降で言及される場合、「基地局」という用語は、限定することなく、ノードＢ（Node-B）、ｅＮＢ（evolved Node-B）、サイトコントローラ、ＡＰ（アクセスポイント）、または無線環境で動作可能な他の任意の種類のインタフェース装置を含む。
【００１１】
本明細書で説明される実施形態は、ＣＳ（回線交換）セッションまたはＰＳ（パケット交換）セッションを支援できる任意のアクセス技術に適用可能とすることができる。その例は、限定することなく、ＬＴＥ（Long Term Evolution）、ＷＣＤＭＡ（Wideband Code Division Multiple Access）、ＧＳＭ（Global System for Mobile communication）、ＧＰＲＳ（General Packet Radio Service）、ＥＤＧＥ（Enhanced Data rates for Global Evolution）、ＣＤＭＡ２０００、８０２．１１、８０２．１６、およびＷｉＭＡＸ（Worldwide Interoperability for Microwave Access）などのＩＥＥＥ８０２の技術、ＵＭＴＳ（Universal Mobile Telecommunications System）、または任意の将来技術を含む。説明の目的で、種々の実施形態は、ＬＴＥを前提として説明されるが、種々の実施形態は、ＣＳセッションおよび／またはＰＳセッションを支援できる任意の技術を使用して実施することができる。
【００１２】
図１は、ＷＴＲＵ  １１０とＭＭＥ（モビリティ管理エンティティ）１２０との間の制御プレーンについてのプロトコルスタック１００の図である。ＲＲＣ（無線リソース制御）コンポーネント１３０は、ＡＳ（アクセス層（access stratum））における主要な制御機能であり、ｅＮＢ  １４０とＷＴＲＵ  １１０との間のＲＲＣシグナリングを使用して、無線ベアラを確立し、より低位のレイヤのコンポーネントを構成することを担当することができる。ＡＳの制御プレーンは、無線特有の機能を処理し、ＮＡＳ（非アクセス層（non-access stratum））１５０と相互作用する。説明される実施形態は、ＲＲＣシグナリング、ＮＡＳシグナリング、または両方の組み合わせを使用して、ＣＳＦＢの手順をキャンセルすることができる。
【００１３】
ＬＴＥの典型的な一例では、ＷＴＲＵは、ＬＴＥのセルにキャンプオンしている最中に、ＣＳセッションを開始するためのＣＳＦＢの手順を要求することができる。それに応答して、ＷＴＲＵは、ＣＳＦＢの手順に応じたターゲットＲＡＴに移行するためのモビリティメッセージを受信することができる。ＷＴＲＵは、モビリティメッセージで示されたように、システム間の変更を実行して、ターゲットＲＡＴへ移行して、ＣＳセッションを開始することができる。システム間の変更は、ＷＴＲＵおよびターゲットＲＡＴがＰＳ（パケット回線）ＨＯ（ハンドオーバ）を支援する場合は、ＰＳ  ＨＯを含むことができる。
【００１４】
ＰＳ  ＨＯが実行される場合、ソースＲＡＴとターゲットＲＡＴとのネットワークノードは、すでにイベントを伝達していることがあり、場合によってはＰＳ  ＨＯのためのリソースを準備していることがある。このシナリオでは、ＰＳセッションがＬＴＥにおいて進行中である場合、データパケットは、ＨＯ中のパケット紛失を回避するために、ＷＴＲＵに転送されないことがある。ＰＳ  ＨＯが実行される場合、データパケットの経路は、ＷＴＲＵがデータパケットの受信および／または送信を続行できるターゲットＲＡＴに切り換えられることができる。ターゲットＲＡＴにおいてＰＳ  ＨＯが支援されない場合、ＷＴＲＵのＰＳセッションは、ＣＳセッションの最中、一時中断されることがある。ターゲットＲＡＴがＰＳ  ＨＯが支援するかどうかに関わらず、ＣＳセッションの終了後、ＷＴＲＵは、ＬＴＥにおいてＰＳセッションを再開することができる。
【００１５】
上の例では、ＷＴＲＵは、ＷＴＲＵがＣＳＦＢ要求を送信した後の任意の時点において、要求したＣＳＦＢの手順をキャンセルすることができる。しかしながら、ＣＳＦＢの手順のキャンセルは、システム間の変更が実行された後になるまで、生じることができない。従来技術によれば、ＣＳＦＢがいったん要求されると、後続するイベントの連鎖は、停止させることができず、過剰なシグナリングをもたらすことがある。
【００１６】
図２は、ＣＳＦＢの手順をキャンセルする方法２００の一例のフロー図である。図２を参照すると、ＷＴＲＵは、ＣＳセッションを開始するためのメッセージを送信することができる（２１０）。開始されたＣＳセッションをキャンセルするため、ＷＴＲＵは、ＣＳセッションのキャンセルを求める要求を通知するメッセージを送信することができる（２２０）。例えば、キャンセルを求める要求は、ＭＭＥに送信することができる。進行中のＰＳセッションが存在する場合（２３０）、ＷＴＲＵは、システム間の変更を実行することなく、現在のＲＡＴ上で、ＰＳセッションを続行することができる（２４０）。進行中のＰＳセッションが存在しない場合（２３０）、ＷＴＲＵは、アイドルモードに留まることができる（２５０）。
【００１７】
図３は、変更ＥＳＲ（拡張サービス要求）を使用して、ＷＴＲＵがＣＳＦＢの手順をキャンセルするときに生じうるシグナリングの量を削減することができる方法３００の一例の信号フロー図である。この方法３００では、ＷＴＲＵ  ３１０は、ＥＳＲ（拡張サービス要求）３２０をＲＲＣメッセージでＭＭＥ  ３３０に送信して、ＣＳＦＢの手順を駆動することができる。ＣＳＦＢの手順が駆動されたときに、タイマ（図示せず）を開始することができる。駆動されたＣＳＦＢの手順に応答して、ＭＭＥ  ３３０は、Ｓ１−ＡＰメッセージ３４０をｅＮＢ  ３５０に送信することができる。Ｓ１−ＡＰメッセージ３４０は、ＣＳＦＢのインジケータを含むことができる。
【００１８】
図３に示されるように、ＷＴＲＵ  ３１０は、変更ＥＳＲメッセージ３６０をＭＭＥ  ３３０に送信して、進行中のＣＳＦＢの手順に対するキャンセルのイベントを通知することができる。変更ＥＳＲメッセージ３６０は、ＮＡＳメッセージとして送信することができ、ＷＴＲＵ  ３１０でシステム間の変更またはＨＯメッセージが受信される前の任意の時点に送信することができる。変更ＥＳＲメッセージ３６０の送信後、ＷＴＲＵ  ３１０は、例えば、EMM-Service-Request-Initiated-Cancel-Pending状態などの状態に入ることができる（３６５）。EMM-Service-Request-Initiated-Cancel-Pending状態は、関連するタイマ（図示せず）を有することができる。
【００１９】
タイマ（図示せず）は、送信された変更ＥＳＲメッセージ３６０に関連付けることができる。ネットワークは、キャンセル要求が受信され、しかるべく処理がされることをＷＴＲＵ  ３１０に保証するために、送達確認メッセージ３８０を送信することができる。そのため、ＷＴＲＵ  ３１０は、ＣＳ  ＲＡＴにフォールバックしなくてもよい。アクティブなＰＳセッションが存在する場合、セッションは、ＬＴＥにおいて再開することができる（３８５）。この例では、ソースネットワークノードおよびターゲットネットワークノードは、シグナリングを実行して、例えば、ターゲットＲＡＴ／セルにおいて確保された任意のリソースを解放することによって、ＣＳＦＢの手順をキャンセルすることができる。
【００２０】
ＷＴＲＵ  ３１０は、ＣＳＦＢの手順のキャンセル後、ＣＳＦＢの手順を開始したＥＳＲに関連するタイマを停止することができる。このタイマは、ＣＳＦＢの手順をキャンセルするためにＷＴＲＵ  ３１０が変更ＥＳＲメッセージ３６０を送信したとき、またはＣＳＦＢの手順がキャンセルされることを通知する送達確認３８０をＷＴＲＵ  ３１０が受信したときに停止させることができる。ＣＳＦＢがキャンセルされた後、ＷＴＲＵは、ＥＭＭ−ＲＥＧＩＳＴＥＲＥＤ状態（図示せず）に入ることができる。
【００２１】
この方法では、最初のＥＳＲがＣＳＦＢの手順を駆動したときにタイマが開始された可能性もあるので、特有の考慮および例外を設けることができる。さらに、ＥＳＲ  ３２０を送信した後、ＷＴＲＵ  ３１０は、EMM-Service-Request-Initiated状態に入ることができる。ＷＴＲＵ  ３１０はこの状態に留まるが、タイマを再始動して、新しい送達確認メッセージを待つことを、１つの例外とすることができる。別の選択肢は、現在の状態内の新しいサブ状態に入り、関連するタイマを開始することとできる。
【００２２】
図３で説明された変更ＥＳＲメッセージの内容が、図４に示されている。図４を参照すると、変更ＥＳＲメッセージ４００は、プロトコル弁別子フィールド４１０、セキュリティヘッダタイプフィールド４２０、拡張サービス要求メッセージ識別情報フィールド４３０、サービスタイプフィールド４４０、ＮＡＳキーセット識別子フィールド４５０、Ｍ−ＴＭＳＩ（ＭＭＥ一時モバイル加入者識別情報（MME Temporary Mobile Subscriber Identity））フィールド４６０、およびＣＳＦＢ応答フィールド４７０を含むことができる。サービスタイプフィールド４４０は、ＷＴＲＵが要求しているサービスの種類を通知することができ、進行中のＣＳＦＢの手順のキャンセルを求める要求を含むように変更することができる。このフィールドが取りうる値についての詳細が、以下の表１に示されている。
【００２３】
【表１】
0005231654.tif 000002
【００２４】
変更ＥＳＲメッセージ３６０を送信する代替策として、ＷＴＲＵは、図５に示されるような内容を有するＮＡＳメッセージ５００を送信することができる。図５に示されるように、ＮＡＳメッセージ５００は、プロトコル弁別子ＩＥ（情報要素）５１０、セキュリティヘッダタイプＩＥ  ５２０、サービス撤回（Withdraw）識別情報ＩＥ  ５３０、撤回タイプＩＥ  ５４０、ＮＡＳキーセット識別子ＩＥ  ５５０、および／または他のオプションのＩＥ  ５６０を含むことができる。撤回タイプＩＥは、ＷＴＲＵがキャンセルを要求しているサービスを通知するために使用することができる。撤回タイプＩＥは、４ビットとすることができ、以下の表２に示すような情報を含むことができる。
【００２５】
【表２】
0005231654.tif 000003
【００２６】
図６は、ＣＳＦＢの手順をキャンセルするための代替的方法のフロー図である。図６を参照すると、ＷＴＲＵ  ６１０は、ＣＳセッションを開始するためのメッセージをＭＭＥ  ６１５に送信することができる。ＣＳセッションを開始するためのメッセージを受信すると（６２０）、ＭＭＥ  ６１５は、ＰＳおよび／またはＣＳリソースの確保を開始するようターゲットＲＡＴに通知することができる（図示せず）。その間、ＭＭＥ  ６１５は、ＣＳＦＢの手順のキャンセルを求める要求を通知するメッセージを受信することができる（６２５）。ＭＭＥ  ６１５は、ＣＳセッションをセットアップするようターゲットＲＡＴに通知した後に、このメッセージを受信した場合、ＣＳＦＢの手順のキャンセルを求める要求をターゲットＲＡＴに通知することができる（６３０）。ＭＭＥ  ６１５は、ＣＳセッションをセットアップするようターゲットＲＡＴに通知する前に、このメッセージを受信した場合、ＣＳＦＢの手順のキャンセルを求める要求をターゲットＲＡＴに通知しなくてもよい。ターゲットＲＡＴは、ＣＳＦＢの手順のキャンセルを求める要求の通知が時間内に受信されない場合、システム間の変更またはＨＯメッセージを送信することができる（図示せず）。
【００２７】
図６を再び参照すると、ＷＴＲＵ  ６１０は、システム間の変更またはＨＯメッセージを受信したかどうかを決定することができる（６３５）。システム間の変更またはＨＯメッセージを受信していない場合、ＷＴＲＵ  ６１０は、システム間の変更またはＨＯを実行することなく、現在のＲＡＴ上で、ＰＳセッションを続行することができる（６４０）。進行中のＰＳセッションが存在しない場合（６４５）、ＷＴＲＵ  ６１０は、アイドルモードに留まることができる（６５０）。
【００２８】
ＷＴＲＵ  ６１０は、システム間の変更またはＨＯメッセージを受信した場合、システム間の変更またはＨＯを拒否するためのメッセージを送信することができる（６５５）。システム間の変更またはＨＯを拒否するためのメッセージ（６５５）は、ＭＭＥ  ６１５にＮＡＳメッセージとして、および／またはターゲットＲＡＴ内のｅＮＢ（図示せず）にＲＲＣメッセージとして送信することができる。したがって、ネットワーク内のＲＲＣコンポーネントおよびＮＡＳコンポーネントは、両方ともＣＳＦＢの手順のキャンセルを求める要求を受信することができる。これらの代替策のどちらの場合も、ＷＴＲＵ  ６１０は、メッセージを、例えば、ターゲットＲＡＴへのシステム間の変更またはＨＯを実行するためのメッセージを受信する前または受信した後の任意の時点に、送信することができる。ネットワーク内のＲＲＣコンポーネントおよびＮＡＳコンポーネントは、別のメッセージをＷＴＲＵに送信することによって、それぞれのメッセージの受信を通知することができる。ＮＡＳコンポーネントおよびＲＲＣコンポーネントは、ＣＳＦＢの手順をキャンセルするための特定のアクションも起こすことができる。例えば、ＭＭＥは、ＳＧＳＮ（Serving GPRS(General Packet Radio Service) Support Node）などの他のネットワークノードと交信して、システム間の変更またはＨＯのためのいかなる準備もキャンセルすることができる。同様のアクションは、ｅＮＢ内のＲＲＣによって駆動することもできる。
【００２９】
図７は、追加的なシステム間の変更またはＨＯを実行することによってＣＳＦＢの手順をキャンセルする方法７００の一例のフロー図である。ＷＴＲＵは、ターゲットＲＡＴへのシステム間の変更またはＨＯを実行し、別のシステム間の変更またはＨＯを実行することによってＬＴＥに直接戻ることができる。ＣＳセッションは、ＬＴＥにおいてキャンセルされない場合、ターゲットＲＡＴにおいてキャンセルされうる。
【００３０】
図７を参照すると、ＷＴＲＵは、上の例で説明されたように、ＣＳセッションを開始することができる（７１０）。その後、ＷＴＲＵは、システム間の変更またはＨＯを実行し、ＣＳ  ＲＡＴにキャンプオンすることができる（７２０）。その後、ＷＴＲＵは、ＣＳ  ＲＡＴ上にある間に、ＣＳセッションをキャンセルすることができる（７３０）。ＷＴＲＵは、ＣＳ  ＲＡＴへのシステム間の変更またはＨＯを実行する前に、ＣＳセッションをキャンセルすることができる。キャンセルしたことの知識に基づいて、ＷＴＲＵは、ＣＭサービス要求メッセージを送信しないことによって、ＣＳセッションの確立を停止することができる（７３５）。進行中のＰＳセッションが存在する場合（７４０）、ＷＴＲＵは、ＰＳ  ＲＡＴへのシステム間の変更またはＨＯを実行することができる（７５０）。進行中のＰＳセッションが存在しない場合、ＷＴＲＵは、アイドルモードに戻ることができる（７６０）。この例では、ＷＴＲＵは、ＣＳ  ＲＡＴの信号強度がＬＴＥの信号強度と比較して弱いことを通知する偽の測定値を送信することによって、ＬＴＥに戻ることができる。あるいは、ＷＴＲＵは、ＬＴＥへのアイドルモードセル再選択を実行することができる。
【００３１】
図８は、システム間の変更またはＨＯを実行するためのメッセージを無視することによってＣＳＦＢの手順をキャンセルする方法の一例のフロー図である。図８を参照すると、ＷＴＲＵは、ＣＳＦＢのキャンセルを求める要求を送信する（８２０）前に、ＣＳセッションを開始するためのメッセージを送信することができる（８１０）。ＣＳＦＢのキャンセルを求める要求の送信（８２０）に応答して、ＷＴＲＵは、インジケータを含むシステム間の変更またはＨＯメッセージを受信することができる（８３０）。インジケータは、システム間の変更またはＨＯがＣＳＦＢに起因するものかどうかを指定することができる。ＷＴＲＵは、ＣＳＦＢのキャンセルを求める要求をＷＴＲＵが送信したことの知識に基づいて、システム間の変更またはＨＯメッセージを無視することができる（８４０）。進行中のＰＳセッションが存在する場合（８５０）、ＷＴＲＵは、システム間の変更またはＨＯを実行することなく、現在のＲＡＴ上で、ＰＳセッションを続行することができる（８６０）。進行中のＰＳセッションが存在しない場合（８５０）、ＷＴＲＵは、アイドルモードに留まることができる（８７０）。
【００３２】
システム間の変更またはＨＯメッセージに関連する、Ｔ３０４などのタイマが存在することができる。システム間の変更またはＨＯを完了する前にタイマが満了した場合、ＷＴＲＵは、接続の再確立の手順を開始することができる。ＷＴＲＵは、タイマが満了するまで、システム間の変更またはＨＯを実行しなくてもよい。あるいはまた、ＷＴＲＵは、システム間の変更またはＨＯメッセージを受信した後に、タイマＴ３０４の値をゼロに設定して、接続の再確立の手順を直接開始することができる。その後、ＷＴＲＵは、ＬＴＥ上でのサービスを再開することができる。
【００３３】
図９は、Ｅ−ＵＴＲＡＮ（（Evolved Universal Terrestrial Radio Access Network））９０５を含む、ＬＴＥ無線通信システム／アクセスのネットワーク９００を示している。Ｅ−ＵＴＲＡＮ  ９０５は、ＷＴＲＵ  ９１０と、いくつかのｅＮＢ  ９２０とを含む。ＷＴＲＵ  ９１０は、ｅＮＢ  ９２０と通信する。ｅＮＢ  ９２０は、Ｘ２インタフェースを使用して、互いに接続する。ｅＮＢ  ９２０の各々は、Ｓ１インタフェースを介して、ＭＭＥ（モビリティ管理エンティティ）／Ｓ−ＧＷ（サービングゲートウェイ）９３０と接続する。図９には１つのＷＴＲＵ  ９１０および３つのｅＮＢ  ９２０が示されているが、無線通信システムアクセスネットワーク９００には、無線および有線の装置の任意の組み合わせが含まれうることは明らかである。
【００３４】
図１０は、ＷＴＲＵ  ９１０と、ｅＮＢ  ９２０と、ＭＭＥ／Ｓ−ＧＷ  ９３０とを含む、ＬＴＥ無線通信システム１０００の一例のブロック図である。図１０に示されるように、ＷＴＲＵ  ９１０、ｅＮＢ  ９２０、およびＭＭＥ／Ｓ−ＧＷ  ９３０は、ＣＳＦＢをキャンセルするための方法を実行するように構成される。
【００３５】
典型的なＷＴＲＵに見出しうるコンポーネントに加えて、ＷＴＲＵ  ９１０は、任意選択的に結合されるメモリ１０２２を備えるプロセッサ１０１６と、少なくとも１つの送受信機１０１４と、オプションのバッテリ１０２０と、アンテナ１０１８とを含む。プロセッサ１０１６は、ＣＳＦＢをキャンセルするための方法を実行するように構成される。送受信機１０１４は、プロセッサ１０１６およびアンテナ１０１８と通信して、無線通信の送信および受信を円滑化する。ＷＴＲＵ  ９１０においてバッテリ１０２０が使用される場合、バッテリ１０２０は、送受信機１０１４およびプロセッサ１０１６に給電する。
【００３６】
典型的なｅＮＢに見出しうるコンポーネントに加えて、ｅＮＢ  ９２０は、任意選択的に結合されるメモリ１０１５を備えるプロセッサ１０１７と、送受信機１０１９と、アンテナ１０２１とを含む。プロセッサ１０１７は、ＣＳＦＢをキャンセルするための方法を実行するように構成される。送受信機１０１９は、プロセッサ１０１７およびアンテナ１０２１と通信して、無線通信の送信および受信を円滑化する。ｅＮＢ  ９２０は、ＭＭＥ／Ｓ−ＧＷ  ９３０に接続され、ＭＭＥ／Ｓ−ＧＷ  ９３０は、任意選択的に結合されるメモリ１０３４を備えるプロセッサ１０３３を含む。
【００３７】
実施形態
１．ＷＴＲＵのための通信セッションをキャンセルするための方法であって、
通信セッションを開始するための第１のメッセージを送信することと、
通信セッションのキャンセルを求める要求を通知する第２のメッセージを送信することと
を含む方法。
【００３８】
２．通信セッションは、ＣＳセッションである、実施形態１に記載の方法。
【００３９】
３．ＣＳセッションのキャンセルは、ＣＳＦＢの手順のキャンセルを含む、実施形態２に記載の方法。
【００４０】
４．進行中の通信セッションが存在すると決定することと、
システム間の変更を実行することなく、現在のＲＡＴ上で、進行中の通信セッションを続行することと
をさらに含む、前記実施形態のいずれか１つに記載の方法。
【００４１】
５．進行中の通信セッションは、ＰＳセッションである、実施形態４に記載の方法。
【００４２】
６．第１のメッセージは、ＥＳＲメッセージであり、第２のメッセージは、変更ＥＳＲメッセージである、前記実施形態のいずれか１つに記載の方法。
【００４３】
７．変更ＥＳＲメッセージは、ＮＡＳメッセージである、実施形態６に記載の方法。
【００４４】
８．通信セッションのキャンセルを求める要求は、第２のメッセージのサービスタイプフィールドにおいて通知される、前記実施形態のいずれか１つに記載の方法。
【００４５】
９．第２のメッセージは、キャンセルするサービスタイプを通知するサービス撤回識別情報フィールドを含むＮＡＳメッセージである、前記実施形態のいずれか１つに記載の方法。
【００４６】
１０．システム間の変更は、ＰＳ  ＨＯを含む、前記実施形態のいずれか１つに記載の方法。
【００４７】
１１．現在のＲＡＴは、ＬＴＥ  ＲＡＴである、実施形態４〜１０のいずれか１つに記載の方法。
【００４８】
１２．ＨＯコマンドを受信することと、
ＨＯコマンドを拒否する旨のメッセージを送信することと
をさらに含む、前記実施形態のいずれか１つに記載の方法。
【００４９】
１３．ＨＯコマンドを拒否する旨のメッセージは、ＭＭＥに送信されるＮＡＳメッセージである、実施形態１２に記載の方法。
【００５０】
１４．ＨＯコマンドを拒否する旨のメッセージは、ｅＮＢに送信される、実施形態１２または１３に記載の方法。
【００５１】
１５．ＨＯコマンドを拒否する旨のメッセージは、ＲＲＣメッセージである、実施形態１２〜１４のいずれか１つに記載の方法。
【００５２】
１６．インジケータを含むＨＯメッセージを受信することと、
通信セッションのキャンセルを求める要求を通知する第２のメッセージを送信したことの知識に基づいて、ＨＯメッセージを無視することと
をさらに含む、前記実施形態のいずれか１つに記載の方法。
【００５３】
１７．インジケータは、ＣＳＦＢのインジケータである、実施形態１６に記載の方法。
【００５４】
１８．通信セッションを開始するための第１のメッセージを送信し、
通信セッションのキャンセルを求める要求を通知する第２のメッセージを送信する
ように構成された送信機
を備えるＷＴＲＵ。
【００５５】
１９．送信機は、ＣＳセッションを開始するための第１のメッセージを送信するように構成される、実施形態１８に記載のＷＴＲＵ。
【００５６】
２０．送信機は、ＣＳＦＢの手順をキャンセルするための第２のメッセージを送信するように構成される、実施形態１９に記載のＷＴＲＵ。
【００５７】
２１．進行中のセッションが存在すると決定し、システム間の変更を実行することなく、現在のＲＡＴ上で、進行中のセッションを続行するように構成されたプロセッサ
をさらに備える、実施形態１８〜２０のいずれか１つに記載のＷＴＲＵ。
【００５８】
２２．プロセッサは、進行中のセッションがＰＳセッションであると決定するように構成される、実施形態２１に記載のＷＴＲＵ。
【００５９】
２３．送信機は、第１のメッセージを、ＥＳＲメッセージとして、第２のメッセージを、変更ＥＳＲメッセージとして送信するように構成される、実施形態１８〜２２のいずれか１つに記載のＷＴＲＵ。
【００６０】
２４．送信機は、変更ＥＳＲメッセージを、ＮＡＳメッセージとして送信するように構成される、実施形態２３に記載のＷＴＲＵ。
【００６１】
２５．送信機は、通信セッションのキャンセルを求める要求の通知を、第２のメッセージのサービスタイプフィールドにおいて送信するように構成される、実施形態１８〜２４のいずれか１つに記載のＷＴＲＵ。
【００６２】
２６．送信機は、第２のメッセージを、キャンセルするサービスタイプを指示するサービス撤回識別情報フィールドを含むＮＡＳメッセージとして送信するように構成される、実施形態１８〜２５のいずれか１つに記載のＷＴＲＵ。
【００６３】
２７．ＨＯコマンドを受信するように構成された受信機をさらに備え、送信機は、ＨＯコマンドを拒否する旨のメッセージを送信するようにさらに構成される、
実施形態１８〜２６のいずれか１つに記載のＷＴＲＵ。
【００６４】
２８．送信機は、ＨＯコマンドを拒否する旨のメッセージを、ＮＡＳメッセージとしてＭＭＥに送信するように構成される、実施形態２７に記載のＷＴＲＵ。
【００６５】
２９．送信機は、ＨＯコマンドを拒否する旨のメッセージを、ｅＮＢに送信するように構成される、実施形態２７または２８に記載のＷＴＲＵ。
【００６６】
３０．送信機は、メッセージを、ＲＲＣメッセージとして送信するように構成される、実施形態２７〜２９のいずれか１つに記載のＷＴＲＵ。
【００６７】
３１．インジケータを含むＨＯメッセージを受信するように構成された受信機をさらに備え、プロセッサは、通信セッションのキャンセルを求める要求を通知する第２のメッセージを送信したことの知識に基づいて、ＨＯメッセージを無視するようにさらに構成される、実施形態１８〜３０のいずれか１つに記載のＷＴＲＵ。
【００６８】
３２．受信機は、ＣＳＦＢインジケータを含むＨＯメッセージを受信するように構成される、実施形態３１に記載のＷＴＲＵ。
【００６９】
３３．ＨＯコマンドを拒否する旨のメッセージを受信するように構成された受信機
を備えるＭＭＥ。
【００７０】
３４．受信機は、メッセージを、ＮＡＳメッセージとして受信するように構成される、実施形態３３に記載のＭＭＥ。
【００７１】
３５．ＨＯコマンドを拒否する旨のメッセージを受信するように構成された受信機
を備えるｅＮＢ。
【００７２】
３６．受信機は、メッセージを、ＲＲＣメッセージとして受信するように構成される、実施形態３５に記載のｅＮＢ。
【００７３】
上記では機能および要素が特定の組み合わせで説明されたが、各機能または要素は、他の機能および要素を伴わずに単独で、または他の機能および要素を伴ってもしくは伴わずに種々の組み合わせで使用することができる。本明細書で提供された方法またはフローチャートは、汎用コンピュータまたはプロセッサによって実行するための、コンピュータ可読記憶媒体内に含まれるコンピュータプログラム、ソフトウェア、またはファームウェアで実施することができる。コンピュータ可読記憶媒体の例は、ＲＯＭ（read only memory）、ＲＡＭ（random access memory）、レジスタ、キャッシュメモリ、半導体メモリ装置、内蔵ハードディスクおよび着脱可能ディスクなどの磁気媒体、光磁気媒体、ならびにＣＤ−ＲＯＭディスクおよびＤＶＤ（digital versatile disk）などの光媒体を含む。
【００７４】
適切なプロセッサは、例えば、汎用プロセッサ、専用プロセッサ、従来型プロセッサ、ＤＳＰ（digital signal processor）、複数のマイクロプロセッサ、ＤＳＰコアと連携する１つもしくは複数のマイクロプロセッサ、コントローラ、マイクロコントローラ、ＡＳＩＣ（Application Specific Integrated Circuit）、ＡＳＳＰ（Application Specific Standard Product）、ＦＰＧＡ（Field Programmable Gate Array）回路、他の任意の種類のＩＣ（集積回路）、および／または状態機械を含む。
【００７５】
ソフトウェアと連携するプロセッサは、ＷＴＲＵ、ＵＥ、端末、基地局、もしくはＥＰＣ（Evolved Packet Core）、または任意のホストコンピュータ、で使用するための無線周波数送受信機を実施するために使用することができる。ＷＴＲＵは、カメラ、ビデオカメラモジュール、テレビ電話、スピーカフォン、バイブレーション装置、スピーカ、マイクロフォン、テレビ送受信機、ハンズフリーヘッドセット、キーボード、Bluetooth（登録商標）モジュール、ＦＭ（frequency modulated）ラジオユニット、ＮＦＣ（Near Field Communication）モジュール、ＬＣＤ（liquid crystal display）ディスプレイユニット、ＯＬＥＤ（organic light-emitting diode）ディスプレイユニット、デジタル音楽プレーヤ、メディアプレーヤ、ビデオゲームプレーヤモジュール、インターネットブラウザ、および／または任意のＷＬＡＮ（無線ＬＡＮ）もしくはＵＷＢ（Ultra Wide Band）モジュールなど、ＳＤＲ（ソフトウェア無線（Software Defined Radio））を含むハードウェアおよび／またはソフトウェアで実施されるモジュール、ならびに他のコンポーネントと併せて使用することができる。
【図１】
0005231654.tif 000004
【図２】
0005231654.tif 000005
【図３】
0005231654.tif 000006
【図４】
0005231654.tif 000007
【図５】
0005231654.tif 000008
【図６】
0005231654.tif 000009
【図７】
0005231654.tif 000010
【図８】
0005231654.tif 000011
【図９】
0005231654.tif 000012
【図１０】
0005231654.tif 000013